(57)【特許請求の範囲】
【請求項１】
底穴（１）を有した各ポット（２）部にポット上縁（５）よりも下位に控え目に土詰し、土詰した育苗器（３）を貯水器（４）に浸漬し、育苗器（３）を貯水器（４）から取り出し、水切りを行った後、各ポット（２）部に苗を挿苗して育苗することを特徴とする苗の育苗方法。
【発明の詳細な説明】
【技術分野】
【０００１】
この発明は、い草苗等の苗を育苗器の各ポット部に挿苗して育苗する育苗方法の技術分野に属する。
【背景技術】
【０００２】
ポット形の育苗器を用いて、各ポットにい草苗を入れて土詰めしたのち灌水する技術が知られている（特許文献１参照）。
【先行技術文献】
【特許文献】
【０００３】
【特許文献１】特開平９−９７９２号公報
【発明の概要】
【発明が解決しようとする課題】
【０００４】
苗の育苗において、小さなポット部を配置した育苗器を用いて移植する形態では、細長い数本の苗株をこのポット部内に挿込んで移植させるものであるから、各ポット内の苗挿し、および苗保持ないし支持姿勢を維持させるのが困難である。単にポットに土詰めを行った状態で挿苗するのは、挿苗が円滑に行われ難く、苗姿勢の支持も行われ難い。
【課題を解決するための手段】
【０００５】
上記課題を解決するために、次のような技術的手段を講じた。
すなわち、請求項１に係る発明は、底穴（１）を有した各ポット（２）部にポット上縁（５）よりも下位に控え目に土詰し、土詰した育苗器（３）を貯水器（４）に浸漬し、育苗器（３）を貯水器（４）から取り出し、水切りを行った後、各ポット（２）部に苗を挿苗して育苗することを特徴とする苗の育苗方法とした。
【発明の効果】
【０００８】
本発明は、ポット２内の床土への水浸漬は、土詰め後の苗が挿苗されていない状態で行われ、またポット２内の床土は静かに浸漬させる状態で浸水されるため、挿苗の行い易い床土状態とすることができ、この挿苗はもとより、浸漬操作も容易に行わせることができる。しかも、苗のポット２への挿苗が、このポット２の浸水された床土に対して行われるために、床土が泥土状態にあって適度の粘性、挿苗抵抗を有して、的確な挿苗を容易に行うことができ、挿苗時の苗姿勢を維持させることができる。
【０００９】
更に、育苗器３の各ポット２内の土詰する床土量を少な目にすることによって浸漬水を含んで膨張したり挿苗によってポット２肩部へ床土が盛り上がるのを抑えられ、ポット２肩部の盛土による根絡みを少なくすることができ、この肩部の盛土を洗い流すような作業が不要となり、挿苗作業を簡単化できる。
【図面の簡単な説明】
【００１０】
【図１】この発明に係るい草苗の育苗方法の行程度を示す第一実施例の側面図。
【図２】その育苗器の一部の破断側面図。
【図３】その平面図。
【図４】その育苗器の側面図。
【図５】その平面図。
【図６】その一部の作用を示す側面図。
【図７】第二実施例を示す育苗器の側断面図。
【図８】その作用を示す側断面図。
【図９】第三実施例を示す育苗器の側断面図。
【発明を実施するための形態】
【００１１】
この発明は、い草を挿苗して育苗する育苗方法に関するものであり、この発明の実施の一形態を、以下に説明する。
ポット形態の育苗器を用いて、このポット内に土詰めして水浸漬した泥土状の床土部に、数本のい草株を各ポット毎に挿苗して育苗する。この育苗されたい草苗は、さらに株分けして同様の育苗器を用いて育苗することもできる。このようにして育苗されたい草苗は、育苗器のまま苗植機に供給して、圃場への苗植付けを行わせることもできる。
【００１２】
尚、第一実施例を図１〜図６に基づいて説明する。第二実施例を主として図７、図８に基づいて説明する。また第三実施例を主として図９に基づいて説明する。
【実施例１】
【００１３】
第一実施例を図１〜図６に基づいて説明する。育苗器３は、育苗に適する容量のポット２を縦横一定間隔に配置する平面視方形状の構成で、合成樹脂材から成形されて全体として可撓自在に構成される。各ポット２の底部には底穴１を形成して、土詰された床土６に浸水させることができる共に、育苗後にこの育苗器３を苗植機に装填したときは、苗押出杆を底部下面から突き刺して、育苗床土６部をこのポット２内から押し出して土壌面へ植付けすることができる。
【００１４】
また、この育苗に使用する床土としては、挿苗抵抗を適度にうるために、粘土を１５〜３５重量パーセント含んだ原土に粉砕したベンナイト、ないしバーミキュライトを１〜１０重量パーセント混合して得た土壌を用いると、挿苗が容易であり、しかも挿苗後のい草苗の姿勢支持を維持しうる。
【００１５】
図１において、土詰行程Ａでは、このような育苗器３の各ポット２内に乾燥された土壌７を供給する。均平行程Ｂでは、均平板８で、育苗器３上面の土壌７を掻き落して均平させて、各ポット２内の床土６均一充填状態とする。つぎに、浸漬行程Ｃでは、このようにして床土６を充填した育苗器３を皿形状の貯水器４内に入れて水浸漬させる。貯水器４内の予め適宜水位に貯留めされた水９は、底穴１からポット２内に浸水されて、床土６を泥土状態に軟くする。水浸漬することにより、床土６へ水分を充分に吸収させることができ、床土６を所望の軟らかさにすることができる。浸水がポット２の床土６上面に達すると、育苗器３を貯水器４の水から取り出し、水きりを行って、挿苗行程Ｄを実施する。この挿苗行程度Ｄでは、予め株分けした数本のい草苗１０の根元部を各ポット２の床土６部に上側から挿し込んで植付ける。このとき床土６部は軟らかいが、い草苗１０の挿込抵抗は比較的小さいため、苗折れを生じ難く、正確な苗姿勢に植付けることができる。しかも、植付けられたあとは床土６の硬化に伴って苗の植付姿勢を維持して安定させることができる。
【００１６】
育苗器３の各ポット２にい草苗１０を挿苗したのち、各ポット上縁５上に盛り上った泥盛土１３が載せられることがある（図６）。このようなときは、育苗箱３の植付苗１０上方から灌水してこの盛り上った泥盛土１３を洗い流す。この盛土１３の除去によって、相隣接のポット２部間における根絡みをなくすることができ、苗植時のポット苗の分離が容易で、正確な苗植を行うことができる。
【００１７】
このようにしてい草苗１０を植付けた育苗器３は育苗室等へ移して育苗する。さらにい草苗１０が育苗分けつされたときは、上記と同様にして再度別の育苗器のポットへ株分して移植し、育苗することもできる。
【００１８】
育苗器３で育苗されたい草苗を圃場に本植えするときは、育苗器３をい草苗１０と共に、苗植機へ供給して植付けを行わせる。各ポット２内の床土６が苗１０と共にポット２外へ押出されて、植付装置で土壌面へ植付けられる。育苗器３の左右両側縁１１部には一定ピッチの繰出穴１２が形成されていて、苗植機へ供給されたときは、この繰出穴１２に繰出爪が係合されて、苗植付けと一定のタイミングのもとに育苗器３の繰出が行われる。
【実施例２】
【００１９】
第二実施例を主として図７、図８に基づいて上例と異なる点を説明する。前記育苗器３に土詰めされた床土６を各ポット２内に満杯にしないで、均平行程Ｂでは、床土６をポット上縁５よりも若干下位置Ｆにするように掻き出す（図７）。このためには前記均平板８に代えて回転ブラシを育苗器３の上面に作用させて掻き出す等によって行うことができる。また、土詰行程Ａで予めポット上縁５に達しないように土詰を規制する方法を講ずるもよい。
【００２０】
このように各ポット部の土詰めが控え目にされて床土６の充填された育苗器３は、浸漬行程Ｃおよび挿苗行程Ｄを経ると、床土６が膨張するが、ポット上縁５上へまでは盛り上り難く、前記のような盛上り泥土１３の発生を少くすることができる（図８）。
【実施例３】
【００２１】
第三実施例を主として図９に基づいて上例と異なる点を説明する。前記育苗器３の各ポット２の挿苗する挿苗行程Ｄにおいて、育苗器３上面に一定高さの支持枠１４を載せておき、この支持枠１４には各ポット２上に一致して形成される支穴１５が形成されていて、この支持穴１５を通して下方の床土６に挿苗することができる。この床土６に挿苗されたい草苗１０を支持穴１５で植付姿勢に支持させる。
【００２２】
そこで、この支持枠１４を木製、または黒色の合成樹脂材等で形成したもので、い草苗１０の光合成の行い難い材質の構成とすることによって、育苗行程では、この株元部Ｇが薄緑色となって、苗植付時には植付深さの目印となり、植付深さの調整を確認し易くする。
【符号の説明】
【００２３】
１：底穴、２：ポット、３：育苗器、４：貯水器、５：ポット上縁、６：床土
【図１】
0004826650.tif 000002
【図２】
0004826650.tif 000003
【図３】
0004826650.tif 000004
【図４】
0004826650.tif 000005
【図５】
0004826650.tif 000006
【図６】
0004826650.tif 000007
【図７】
0004826650.tif 000008
【図８】
0004826650.tif 000009
【図９】
0004826650.tif 000010